(57)【要約】      （修正有）【課題】光ディスク駆動装置の静電気防止に関し、内部で発生する静電気を確実に外部へアースすることと伴に、その構造を成す部品の寸法精度や、作業性を考慮した静電気防止構造を提供する。【解決手段】スピンドルモータを支持する支持部材部と筺体部とを電気的に接続する片持ち構造のアーススプリング２１であり、自由端を円弧形状とし、さらに先端部２６に曲げ構造を備えた。これによりスプリングの寸法精度や組み立ての作業性が向上し、光ディスク駆動装置の信頼性の向上が図れる。【選択図】図５
2011227949.tif 000002
【特許請求の範囲】
【請求項１】
光学的手段によりディスクに記録再生を行う光学ヘッドと、該ディスクを回転駆動するスピンドルモータと、前記スピンドルモータを支持する支持部材部と、前記光学ヘッド及び前記スピンドルモータ及び前記支持部材部を内蔵する導電性の筺体部とを備えた光ディスク駆動装置において、
前記支持部材部に弧状部を有するアーススプリングを備え、該アーススプリングは前記支持部材部と前記筺体部とを電気的に接続することを特徴とする光ディスク駆動装置。
【請求項２】
請求項１に記載のディスク駆動装置において、
前記アーススプリングは、前記支持部材部に接続され、片持ち形状でかつ支持部から自由端に向けて円弧形状の曲げ成型を有し、前記筺体部へ、導電性のユニットメカ下カバー，メイン回路基板を介して電気的に接続することを特徴とする光ディスク駆動装置。
【請求項３】
請求項１に記載のディスク駆動装置において、
前記アーススプリングは、円弧形状の先端部に該円弧形状とは逆の曲げ構造を備えることを特徴とする光ディスク駆動装置。
【請求項４】
請求項１に記載のディスク駆動装置において、
前記アーススプリングは、円弧形状の先端部に別部材となる接触部材を備えることを特徴とする光ディスク駆動装置。
【請求項５】
請求項１に記載のディスク駆動装置において、
前記アーススプリングの円弧形状と前記支持部材部との間の空間に電気配線部材を配置することを特徴とする光ディスク駆動装置。
【請求項６】
請求項１に記載のディスク駆動装置において、
前記導電性の筺体は、使用時に接地電位とすることを特徴とする光ディスク駆動装置。
【発明の詳細な説明】
【技術分野】
【０００１】
本発明は、光ディスク駆動装置内部で発生する静電気処理用のアーススプリングに関するものである。
【背景技術】
【０００２】
光ディスク駆動装置は、装置内部で発生する静電気によってさまざまな部品の損傷を引き起こす可能性がある。ディスク面上の情報を再生、あるいはディスク面上に情報を記録するディスク駆動装置の主幹部品である光学ヘッドにはレーザダイオードを備えており、静電気により該レーザダイオードが損傷する可能性がある。これによって、光ディスク駆動装置は記録再生ができなくなる可能性がある。
【０００３】
静電気防止を行う従来技術としては、静電気のアース対策として、導通性部材でできたアース部材により、光ディスク駆動装置内部から筺体部へ該静電気を放電する構造がある。
【０００４】
特許文献１には、スピンドルモータのモータベースの表面側絶縁層上にコネクタからネジ穴近傍まで延びたＥＳＤ（Electro-Static Discharge：静電放電）専用パターンを形成し、ＥＳＤプレートを該ＥＳＤ専用パターンと半田接続して、コネクタを介して外部回路へ放電する構造が開示されている。
【０００５】
特許文献２には、３つ以上の導電性部材間に円筒形状に巻き回された導線で構成され、円筒軸方向に弾性変形可能な導電性の弾性部材を介し、静電気防止を行う構造が開示されている。
【先行技術文献】
【特許文献】
【０００６】
【特許文献１】特開２００２−２４５７７０号公報
【特許文献２】特開２００５−１２３００１号公報
【発明の概要】
【発明が解決しようとする課題】
【０００７】
特許文献１に記載された技術は、スピンドルモータのモータベースに新たなＥＳＤ専用パターンを形成しなければならない。また、ＥＳＤ専用プレートと該ＥＳＤパターンとの半田接続作業や、コネクタ部からの外部回路への放電に必要な配線などが新たに必要となる。不具合が生じた際の部品交換など容易に行うことができないという課題やコスト面で課題が生じる。
【０００８】
特許文献２に記載された技術は、装置内部の導電性部材間に円筒形状に弾性部材（密巻きコイルばね）を介す構造である。しかし、光ディスク駆動装置などの非常に狭い空間（隙間）に導電性部材を介すため該円筒形状の弾性部材を設けることは寸法制約上困難であるという課題が生じる。
【０００９】
本発明の目的は、光ディスク駆動装置の静電気防止に関し、内部で発生する静電気を確実に外部へアースすることと伴に、その構造を成す部品の寸法精度や、作業性を考慮した静電気防止構造を提供することにある。
【課題を解決するための手段】
【００１０】
上記課題を解決するための本発明の一つの特徴は、光学的手段によりディスクに記録再生を行う光学ヘッドと、該ディスクを回転駆動するスピンドルモータと、前記スピンドルモータを支持する支持部材部と、前記光学ヘッド及び前記スピンドルモータ及び前記支持部材部を内蔵する導電性の筺体部とを備えた光ディスク駆動装置において、前記支持部材部に弧状部を有するアーススプリングを備え、該アーススプリングは前記支持部材部と前記筺体部とを電気的に接続することにある。
【００１１】
また、前記アーススプリングは、前記支持部材部に接続され、片持ち形状でかつ支持部から自由端に向けて円弧形状の曲げ成型を有し、前記筺体部へ、導電性のユニットメカ下カバー，メイン回路基板を介して電気的に接続することが望ましい。
【００１２】
また、前記アーススプリングは、円弧形状の先端部に該円弧形状とは逆の曲げ構造を備えることが望ましい。
【００１３】
また、前記アーススプリングは、円弧形状の先端部に別部材となる接触部材を備えることが望ましい。
【００１４】
また、前記アーススプリングの円弧形状と前記支持部材部との間の空間に電気配線部材を配置することが望ましい。
【００１５】
また、前記導電性の筺体は、使用時に接地電位とすることが望ましい。
【発明の効果】
【００１６】
本発明によれば、ディスク駆動装置内部で生じた静電気を確実に外部へ放電することができ、さらにアース部材となるスプリングにおいて寸法精度や、組み立て作業性が向上することで信頼性の高い光ディスク駆動装置を提供できる。
【図面の簡単な説明】
【００１７】
【図１】一般的な光ディスク駆動装置の構造を示す分解斜視図。
【図２】本発明の一実施例であるアーススプリングを備えたユニットメカ部を示す図。
【図３】光ディスク駆動装置の静電気放電の流れを説明する図。
【図４】スピンドルモータプレートに設置した比較例のアーススプリング構造を示した図。
【図５】本発明の一実施例であるアーススプリング構造および、その効果説明する図。
【図６】本発明の第二実施例であるアーススプリングの他の効果を説明する図。
【発明を実施するための形態】
【００１８】
以下、本発明の実施例を述べる。
【実施例１】
【００１９】
以下、添付図面を参照しながら、本発明の光ディスク駆動装置１を実施するための形態を説明する。図１から図５は、本発明の第一の実施の形態を説明するための図であり、これらの図において同一の符号を付した部分は同一物を表わし、基本的な構成及び動作は同様であるものとする。
【００２０】
まず、本発明の一実施形態に係る光ディスク駆動装置１の構成について説明する。
【００２１】
図１は、本実施形態における光ディスク駆動装置１の分解斜視図である。光ディスク駆動装置１は、直径１２０mm，厚さ１.２mmのＣＤ，ＤＶＤ，ＢＤ（ブルーレイ・ディスク）等の記録媒体（以下、ディスクと呼ぶ）の記録面に対して情報の記録再生を行うものである。本発明で対象とする光ディスク駆動装置１はおおむね、幅１３０mm，奥行き１３０mm，装置厚１２.７mm（あるいは、９.５mm）の薄厚箱型形状で，モバイル型パーソナルコンピュータに装備されているスリム型（あるいは、スーパスリム型）ドライブと呼ばれている光ディスク駆動装置１である。光ディスク駆動装置１は、トップカバー３とボトムカバー４を嵌合及びネジ締結により組み立てて成形された筐体で構成されている。トップカバー３とボトムカバー４は、薄板鋼板をプレス成形することによりそれぞれ製造されている。該筐体内部（光ディスク駆動装置１内部）には、樹脂成形品のディスクトレイ６が配置されている。ディスクトレイ６の前端には、図示していないフロントパネルが装着されており、ここからディスクを搬出入している。ディスクトレイ６の下面にユニットメカ５が装着されている。ユニットメカ５は、弾性部材からなる複数のインシュレータ１３（図２参照）を介してディスクトレイ６に取り付けられている。該インシュレータ１３によって、装置外部からユニットメカ５へ伝わる振動や衝撃、あるいは、ユニットメカ５から外部へ伝わる振動や衝撃を減衰している。ユニットメカ５は、ベースとなる図１には示していないユニットメカシャシ９（図２参照）を有する。ユニットメカシャシ９に、ディスクを回転駆動するスピンドルモータ２、ディスクの記録面の情報を再生し、あるいは、記録面に情報を記録するための光学ヘッド７、光学ヘッド７をディスク半径方向に沿って移動させるための駆動手段、これらの部品への接触防止や電気的なノイズを遮断するユニットメカ上カバー８が装着されている。ディスクトレイ６の中央には、ディスクの外径より僅かに大きな円形溝が形成されている。この円形溝の底面の一部に切欠き孔を備え、ユニットメカ５のユニットメカ上カバー８，光学ヘッド７，スピンドルモータ２が露出している。ディスクの装着や離脱を行うためには該ディスクトレイ６の両側に備えたガイド機構により、ディスクトレイ６が該フロントパネルより光ディスク駆動装置１外部にスライドして突出する。
【００２２】
本発明は、このような光ディスク駆動装置１において、内部で発生する静電気を光ディスク駆動装置１外部へ放電するアーススプリング１２構造に関するものである。これにより、静電気による部品損傷を防止することで光ディスク駆動装置１の信頼性の向上を図る。
【００２３】
図２は、図１に示したユニットメカ５の裏面部を斜視図で示したものである。ユニットメカ５構成について詳細に説明する。ベースとなる鋼板をプレス成型した枠構造のユニットメカシャシ９に、スピンドルモータ２はスピンドルモータプレート１０で３箇所ネジ締結によって固定されている。また、ユニットメカシャシ９には２本のガイドバー１４が各ガイドバー１４の両端部をネジ締結で固定されており、光学ヘッド７は軸受部により該２本のガイドバー１４により摺動支持されている。そして、ユニットメカ５はユニットメカシャシ９の外側部３箇所に備えたインシュレータ１３により、ディスクトレイ６に弾性支持されている。ユニットメカ５裏面部にはさまざまな電気部品との接続に電気配線部材としてＦＰＣ（Flexible Printed Circuit：フレキシブル回路基板）１１ａ，１１ｂ，１１ｃが配置されている。
【００２４】
本発明による静電気放電構造として、該スピンドルモータプレート１０上にネジ締結された導電性部材のアーススプリング２１が取り付けられている。このアーススプリング２１によって、ユニットメカ５部の静電気を外部へ放電している。実際にはユニットメカ５裏面部を覆うように導電性の薄板鋼板のユニットメカ下カバー１５が取り付けられており、該静電気はアーススプリング２１を介して、ユニットメカ下カバー１５へ放電されることとなる。
【００２５】
図３は、光ディスク駆動装置１内部で発生した静電気を外部へ放電する流れを示したものである。本静電気の流れは光学ヘッド７内部の例えば、レーザダイオードなどの静電破壊を防止する放電経路を例として説明する。光学ヘッド７部からは軸受部を介してガイドバー１４，ユニットメカシャシ９と各導電性部品を介して、スピンドルモータプレート１０へ静電気は流れる。そして、本発明であるアーススプリング２１により、ユニットメカ５裏面部に設置したユニットメカ下カバー１５へ通電し、ユニットメカ下カバー１５と電気的に接続したメイン回路，メイン回路からＦＰＣ１１などの配線部材を介して光ディスク駆動装置１の筺体となるボトムカバー４、あるいはトップカバー３へ流れる。光ディスク駆動装置１から外部への静電気放電は、該駆動装置の筺体となるボトムカバー４、あるいはトップカバー３からＰＣのグランドへ電気的に接続することで行っている。すなわち、導電性の筺体は、光ディスク駆動装置の少なくとも使用時に接地電位とすることにより、動作時の静電気放電による弊害を防止できる。更に、光ディスク駆動装置の組み立て時に接地電位とすることにより、組み立て時の静電気放電による弊害を防止できる。
【００２６】
図４は、アーススプリング１２を備え、静電気放電を行っている比較例の光ディスク駆動装置１のスピンドルモータプレート１０部を示したものである。アーススプリング１２はばね材となる薄板鋼板で、折り曲げ加工により作られている。スピンドルモータプレート１０には一本のネジにより締結固定され、ネジ部を固定部とした片持ち板構造である。自由部の先端部Ｔ字型構造で、固定部と自由部に折り曲げ部を有した曲げ加工を施している。ネジ部でスピンドルモータプレート１０とアーススプリング１２は電気的に接続され、図示していないユニットメカ下カバー１５で抑え込まれることで前述した曲げ部により弾性的にユニットメカ下カバー１５と接触する構造である。しかしながら、実際のユニットメカ５部とユニットメカ下カバー１５との隙間は０.１mmから０.２mm程度と非常に狭く、片持ち構造で一部に曲げ構造を備えたアーススプリング１２では、該ユニットメカ下カバー１５を変形させる程の外力を生じさせず、安定に接触させるための折り曲げ加工精度は非常に厳しい。また、先端部のＴ字形状では光ディスク駆動装置１の組み立て工程で部品部の損傷（引っ掛けることで先端部が変形）の可能性などの課題がある。
【００２７】
図５は、本発明の弧状部を有するアーススプリングの一実施例であるアーススプリング２１を示したものである。図５（ａ）は該アーススプリング２１をスピンドルモータプレート１０に備えた状態を示したものである。図５（ｂ）はアーススプリング２１単体の斜視図であり、図５（ｃ）は図５（ｂ）に示したＡ方向からの側面図を示したものである。アーススプリング２１は導電性部材のスピンドルモータプレート１０に直接ネジ締結にて固定する。その際、スピンドルモータプレート１０上での位置決めのためあらかじめ、該スピンドルモータプレート１０上には位置決め用凸部を有し、該凸部とアーススプリング２１の位置決めピンの孔２３、さらにアーススプリング２１には爪部（引っ掛け部２４）を備え、該スピンドルモータプレート１０の端部に引っ掛けることで位置決めを行っている。アーススプリング２１のスピンドルモータプレート１０合せ部を固定部として、片持ち形状の自由端部を備え、該自由端部に円弧形状の曲げ２５構造を備えた。導電性薄板製のユニットメカ下カバー１５（図５（ｃ）では一部のみしか図示していない）でスピンドルモータプレート１０を含むユニットメカ５を覆うことで、該ユニットメカ下カバー１５に対してアーススプリング２１の円弧曲げ部２５の一部が弾性的に接触することとなる。スピンドルモータプレート１０には、アーススプリング先端部２６位置に孔部５１（図５（ａ）参照）を備え、スピンドルモータプレート１０とユニットメカ下カバー１５間の隙間が狭い時でも弾性力が作用するように弾性変形範囲を大きくする構造とした。さらに、アーススプリング２１の自由端先端部２６に前記円弧曲げ部２５形状とは逆方向の曲げ構造を備え、先端部２６の接触部との滑り、摩擦力などを良好にし、さらに接触部の傷付きなどを防止している。先端部の曲げ構造によらず、軟性部材や、摩擦係数の小さな、例えば、樹脂部材などの別部材を先端部２６に設けてもよい。
【００２８】
図５に示すような、円弧形状の曲げ構造（円弧曲げ部２５）とすることで、曲げ成形精度が向上すると伴に、図４に示す一部に曲げ構造を備えた構造と比較すると曲げ部の剛性が向上することで組み立て時の部品損傷の低減が図れる。したがって、安定にアースのための接触が行えるので、本発明により内部で生じた静電気による部品損を防止することができるとともに、組み立て工程での部品部の損傷（引っ掛けることでアーススプリングの先端部が変形すること、または先端部形状によって他部品を損傷すること）を防止できるので、より信頼性が高い光ディスク駆動装置１を提供することができる。
【実施例２】
【００２９】
本発明の実施例２の形態について、図６を用いて説明する。
【００３０】
図６はユニットメカ５に組み込まれた実施例１のアーススプリング２１について、アーススプリング２１と図２で示したＦＰＣ１１ａを示したものである。ＦＰＣ１１ａを、アーススプリング２１とスピンドルモータプレート１０間に生じる（円弧曲げ部２５によって生じる）空間に通す構造である。これによって、ＦＰＣ１１ａの位置ずれや、引っ掛けなどを防止することが可能となる。したがって、本発明により内部で生じた静電気による部品損を防止することができるとともに、電気配線の信頼性をより向上できる光ディスク駆動装置１を提供することができる。また、ＦＰＣを円弧曲げ部２５によって生ずる空間に配置できるので、省スペース化を実現できる。
【符号の説明】
【００３１】
１  光ディスク駆動装置
２  スピンドルモータ
３  トップカバー
４  ボトムカバー
５  ユニットメカ
６  ディスクトレイ
７  光学ヘッド
８  ユニットメカ上カバー
９  ユニットメカシャシ
１０  スピンドルモータプレート
１１ａ，１１ｂ，１１ｃ  ＦＰＣ
１２  アーススプリング（比較例）
１３  インシュレータ
１４  ガイドバー
１５  ユニットメカ下カバー
２１  アーススプリング（本発明実施形態）
２２  ネジ孔
２３  位置決めピンの孔
２４  引っ掛け部
２５  円弧曲げ部
２６  先端部
【図１】
2011227949.tif 000003
【図２】
2011227949.tif 000004
【図３】
2011227949.tif 000005
【図４】
2011227949.tif 000006
【図５】
2011227949.tif 000007
【図６】
2011227949.tif 000008